(57)【要約】  【課題】  リモコン受光回路に関係するスイッチ操作部の表示を容易に施せるとともに見やすくする。  【解決手段】  本体１の下面にリモコン受光回路４が設けられ、その下面を覆う反射板５を設けた照明器具において、リモコン受光回路４に対向して反射板５に窓孔６を設け、この窓孔６にリモコン受光回路４側に凹入する形状のカバー７を配置するとともに、カバー７の底面にリモコン受光回路４に関係する押しボタン式のスイッチ操作部１４を臨ませる孔１５を設け、さらに、スイッチ操作部１４に対応する表示１６を反射板５に施している。【選択図】  図１
2005293965.tif 000002
【特許請求の範囲】
【請求項１】
本体の下面にリモコン受光回路が設けられ、その下面を覆う反射板を設けた照明器具において、リモコン受光回路に対向して反射板に窓孔を設け、この窓孔にリモコン受光回路側に凹入する形状のカバーを配置するとともに、カバーの底面にリモコン受光回路に関係するスイッチ操作部を臨ませる孔を設け、さらに、スイッチ操作部に対応する表示を反射板に施した照明器具。
【発明の詳細な説明】
【技術分野】
【０００１】
本発明は、リモコン受光回路を設けた照明器具に関する。
【背景技術】
【０００２】
リモコン受光回路を設けた照明器具は特許文献１に示され、リモコン受光回路は反射板の下面に配置されている。そして、この種のリモコン受光回路では、関係するスイッチ操作部が当該回路を覆うカバーの孔から露出され、カバーにはスイッチ操作部の機能を示す印刷表示が施されている。
【特許文献１】特開２００１−１３５１３３号公報
【発明の開示】
【発明が解決しようとする課題】
【０００３】
しかし、リモコン受光回路を反射板の内部に設けようとすると、リモコン受光回路を構成する回路部品は受光素子または受光モジュールあるいは回路基板実装用のスイッチなど背の低い部品で構成されるため、リモコン受光回路に対向して反射板に窓孔を設け、この窓孔にリモコン受光回路側に凹入する形状のカバーを配置する工夫が必要になる。しかしながら、カバーの凹入底面にリモコン受光回路に関係するスイッチ操作部を臨ませる孔を設けると、そのスイッチ操作部に対応する表示を行いにくく、表示できたとしても見えにくいものとなる。本発明はこのような解決すべき課題を鑑み、リモコン受光回路に関係するスイッチ操作部の表示を容易に施せるとともに見やすくすることを目的とする。
【課題を解決するための手段】
【０００４】
本発明を要約すると、本体の下面にリモコン受光回路が設けられ、その下面を覆う反射板を設けた照明器具において、リモコン受光回路に対向して反射板に窓孔を設け、この窓孔にリモコン受光回路側に凹入する形状のカバーを配置するとともに、カバーの底面にリモコン受光回路に関係するスイッチ操作部を臨ませる孔を設け、さらに、スイッチ操作部に対応する表示を反射板に施した照明器具である。
【発明の効果】
【０００５】
本発明によれば、スイッチ操作部に対応する表示を反射板に施したため、表示が見やすくなり、カバーの凹入底面に表示する必要がなく、レーザー印刷などで容易に印刷可能である。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、金属製の本体１の下面に設けた同一の回路基板(プリント基板)２に高周波インバータなどの点灯回路３とリモコン受光回路４が実装され、それらの下面を覆う金属製の反射板５を設けた照明器具である。そして、リモコン受光回路４に対向して反射板５に窓孔６を設け、この窓孔６にリモコン受光回路４側に凹入する形状の絶縁樹脂製のカバー７を嵌め合わせなどの適宜手段で配置し、カバー７の底面に少なくともリモコン受光孔８を設けている。なお、リモコン受光孔８に対応して回路基板２には受光素子８１を実装している。また、カバー７から上方に突出して設けた支持脚９を回路基板２に当接するとともに、カバー７の下縁付近を窓孔６の上縁に当接している。また、カバー７から上方に突出して設けた支持脚１０を回路基板２の孔１１を貫通して本体１の下面に設けた絶縁板１２(当該箇所に絶縁板１２がない場合は、本体１)の下面に当接するとともに、カバー７の下縁付近を窓孔６の上縁に当接している。また、支持脚９はカバー７の外側縁付近から上方に突出して設けられ、前記支持脚９の外側に点灯回路３の出力リード線１３が配置される。
【０００８】
以上の構成によれば、リモコン受光回路４に対向して反射板５に設けた窓孔６にリモコン受光回路４側に凹入する形状のカバー７を配置し、カバー７の底面に少なくともリモコン受光孔８を設けることにより、反射板５とリモコン受光回路４とのマッチングを図り、カバー７の底面に設けたリモコン受光孔８による受光角を拡大できる。また、支持脚９によりカバー７を回路基板２と窓孔６の上縁間に容易に挟み止められる。また、支持脚１０によりカバー７を絶縁板１２(または本体１)の下面と窓孔６の上縁間に容易に挟み止められる。また、支持脚９により点灯回路３の出力リード線１３がカバー７の上方すなわちリモコン受光回路４の設置箇所に入らないようにでき、微弱信号を扱うリモコン受光回路４に飛び付く誘導ノイズを防止しやすい。
【０００９】
次に、本体１の下面にリモコン受光回路４が設けられ、その下面を覆う反射板５を設けた照明器具において、リモコン受光回路４に対向して反射板５に窓孔６を設け、この窓孔６にリモコン受光回路４側に凹入する形状のカバー７を配置するとともに、カバー７の底面にリモコン受光回路４に関係する押しボタン式のスイッチ操作部１４を臨ませる孔１５を設け、さらに、スイッチ操作部１４に対応する表示１６を反射板５に施している。これにより、スイッチ操作部１４に対応する表示１６を反射板５に施したため、表示１６が見やすくなり、カバー７の凹入底面に表示する必要がなく、レーザー印刷などで容易に印刷可能である。
【００１０】
さらに詳述すれば、本体１は天井１７の下面に適宜手段で固定され、回路基板２は本体１の下面に固定された絶縁板１２の下面に適宜手段で支持されている。反射板５は図示しないビスなどで本体１に固定され、その一側付近において点灯回路３の出力リード線１３が接続されたソケット１８が配置され、ソケット１８は本体１に適宜手段で支持されている。そして、ソケット１８には蛍光ランプ１９が接続されている。また、本体１の下面には図外のグローブが着脱可能に取り付けられる。
【図面の簡単な説明】
【００１１】
【図１】本発明の実施形態を示す分解時斜視図
【図２】同部分下面図
【図３】同組立時部分断面図
【図４】同部分拡大下面図
【符号の説明】
【００１２】
１  本体
２  回路基板
３  点灯回路
４  リモコン受光回路
５  反射板
６  窓孔
７  カバー
８  リモコン受光孔
８１  受光素子
９  支持脚
１０  支持脚
１１  孔
１２  絶縁板
１３  出力リード線
１４  スイッチ操作部
１５  孔
１６  表示
【図１】
2005293965.tif 000003
【図２】
2005293965.tif 000004
【図３】
2005293965.tif 000005
【図４】
2005293965.tif 000006